(57)【要約】【課題】固定フード内にスライドフードを収納した状態で常時換気が可能なレンジフードを提供することを目的とする。【解決手段】吸気口１と排気口２を有し、内部に排気送風機３を設けた排気ユニット４の吸気口１に連通し設けられる固定フード６と、固定フード６の前面よりスライド自在に設けられるスライドフード７とを備え、スライドフード７を、固定フード６内に収納時に、排気ユニット４の吸気口１が閉鎖されることなく常時換気を可能としたことにより、常時換気が可能なレンジフードを得られる。【選択図】図１
2006317125.tif 000002
【特許請求の範囲】
【請求項１】
吸気口と排気口を有し、内部に排気送風機を設けた排気ユニットと、この排気ユニットの吸気口に連通し設けられる固定フードと、この固定フードに連通し、前記固定フードの前面よりスライド自在に設けられるスライドフードとを備え、前記固定フードおよび前記スライドフードの吸込面に捕集促進部を形成しつつ、前記スライドフードを前記固定フード内に収納時に、前記排気ユニットの吸込口が閉鎖されることなく、常時換気を可能としたレンジフード。
【請求項２】
捕集促進部として、固定フードおよびスライドフードの内周部に風速の速くなるスリットが形成されるように、整流部を配設した請求項１記載のレンジフード。
【請求項３】
固定フードの内面にスライドフードが接触しないように隙間を形成し、前記隙間の空気の流通を遮断する形状の遮断凸部を、前記スライドフードの後端部近傍に立設した請求項１記載のレンジフード。
【請求項４】
捕集促進部として、固定フードおよびスライドフードの内周部に開口率の大きいフィルターを設け、前記開口率の大きいフィルターの内側に開口率の小さいフィルターを設けた請求項１記載のレンジフード。
【請求項５】
固定フードとスライドフードの吸込側にフィルターを配設した請求項１記載のレンジフード。
【発明の詳細な説明】
【技術分野】
【０００１】
本発明は、レンジから上昇する油煙を排気するように固定フードにスライドフードを設けるとともに、常時換気を可能としたレンジフードに関する。
【背景技術】
【０００２】
従来、この種のレンジフードとして固定枠に可動枠を可動自在に設けたものが知られている（例えば、特許分献１参照）。
【０００３】
以下、そのレンジフードについて図６を参照しながら説明する。
【０００４】
図に示すように、平形タイプのフード本体１０１の上面に送風機ユニット１０２を内蔵した密閉凾体１０３を連通させて一体化し、フード本体１０１は中空構造とした固定枠１０４と可動枠１０５とによって伸縮自在とするとともに、可動枠１０５の引き出し時には固定枠１０４と連通状態とし、可動枠１０５を固定枠１０４内に収納したときには、送風機ユニット１０２の吸込側１０６と連通する連通孔１０７の下方位置を覆うように収納している。
【特許文献１】実開昭６４−５０３５号公報（実願昭６２−９７２１８号のマイクロフィルム（第３〜６頁、第１図））
【発明の開示】
【発明が解決しようとする課題】
【０００５】
このような従来のレンジフードでは、固定枠１０４に可動自在に設けられる可動枠１０５の収納時には、送風機ユニット１０２の吸込側１０６と連通する連通孔１０７の下方位置が可動枠１０５により覆われるため、可動枠１０５を収納した状態では、換気が出来ないという課題があり可動枠１０５が固定枠１０４内に収納されたときでも、換気をして建築基準法に基づく常時換気を可能にすることが要求されている。
【０００６】
本発明は、このような従来の課題を解決するものであり、固定フード内にスライドフードを収納した状態で常時換気が可能なレンジフードを提供することを目的としている。
【課題を解決するための手段】
【０００７】
本発明のレンジフードは上記目的を達成するために、吸気口と排気口を有し、内部に排気送風機を設けた排気ユニットと、この排気ユニットの吸気口に連通し設けられる固定フードと、この固定フードに連通し、前記固定フードの前面よりスライド自在に設けられるスライドフードとを備え、前記固定フードおよび前記スライドフードの吸込面に捕集促進部を形成しつつ、前記スライドフードを、前記固定フード内に収納時に、前記排気ユニットの吸気口が閉鎖されることなく、常時換気可能としたものである。
【０００８】
この手段により、レンジから上昇する油煙を広範囲で捕集できるとともに常時換気が可能となるレンジフードが得られる。
【０００９】
また、他の手段は、捕集促進部として、固定フードおよびスライドフードの内周部に風速の速くなるスリットが形成されるように、整流部を配置したものである。
【００１０】
この手段により、レンジから上昇し拡がる油煙を効率良く捕集できるレンジフードが得られる。
【００１１】
また、他の手段は、固定フードの内面にスライドフードが接触しないように隙間を形成し、前記隙間の空気の流通を遮断する形状の遮断凸部を前記スライドフードの後端部近傍に立設したものである。
【００１２】
この手段により、スライドフードのスライドが軽やかに行なえるレンジフードが得られる。
【００１３】
また、他の手段は、捕集促進部として、固定フードおよびスライドフードの内周部に開口率の大きいフィルターを設け、前記開口率の大きいフィルターの内側に開口率の小さいフィルターを設けたものである。
【００１４】
この手段により、開口率の大きいフィルター側における油煙の捕集効率の高いレンジフードが得られる。
【００１５】
また、他の手段は、固定フードとスライドフードの吸込側にフィルターを配設したものである。
【００１６】
この手段により、油煙中に含まれる油の回収をすることができるレンジフードが得られる。
【発明の効果】
【００１７】
本発明によればレンジから上昇する油煙を広範囲で捕集できるとともに、常時換気が可能となるレンジフードを提供できる。
【００１８】
また、レンジから上昇し拡がる油煙を効率良く捕集できるレンジフードを提供できる。
【００１９】
また、スライドフードのスライドを軽やかに行なえるレンジフードを提供できる。
【００２０】
また、開口率の大きいフィルター側における油煙の捕集効率の高いレンジフードを提供できる。
【発明を実施するための最良の形態】
【００２１】
本発明の請求項１記載の発明は、吸気口と排気口を有し、内部に排気送風機を設けた排気ユニットと、この排気ユニットの吸気口に連通し設けられる固定フードと、この固定フードに連通し、前記固定フードの前面よりスライド自在に設けられるスライドフードとを備え、前記固定フードおよび前記スライドフードの吸込面に捕集促進部を形成しつつ、前記スライドフードを前記固定フード内に収集時に、前記排気ユニットの吸気口が閉鎖されることなく、常時換気を可能にしたものであり、レンジから上昇する油煙を排気するときには、固定フードからスライドフードを引き出し、レンジフードの下面の吸込範囲を大きくして油煙を効率よく捕集して排気することができるとともに、スライドフードを固定フード内に収納したときにおいても排気ユニットの吸気口は開口した状態であるので、排気ユニット内の排気送風機の運転により常時換気を行なうことが可能となり、レンジフードとは別個に常時換気用の換気扇を設置する必要もなくなるという作用を有する。
【００２２】
また、請求項２記載の発明は、固定フードおよびスライドフードの内周部に風速の速くなるスリットが形成されるように、整流部を配設したものであり、固定フードおよびスライドフードの内周部に形成されるスリットの風速が速いことにより、上昇した油煙が整流部に激突し、周囲に拡がるようになっても、油煙は風速の速いスリットに捕集され、固定フードおよびスライドフード外に漏れる油煙はなくなり、油煙の捕集効率が高められるという作用を有する。
【００２３】
また、請求項３記載の発明は、固定フードの内面にスライドフードが接触しないように隙間を形成し、前記隙間の空気の流通を遮断する形成の遮断凸部を前記スライドフードの後端部近傍に立設したものであり、スライドフードをスライドするときには、スライドフードの後端部近傍に設けた遮断凸部が固定フードの内面に接触しながらスライドすることとなるので、固定フードに対しては、線接触状態となりスライドフード全体が固定フード内面に接触させながらスライドする面接触の状態に比較し、スライドを軽やかに行なうことができるとともに、遮断凸部により隙間を通り、固定フード内に流入する空気が遮断され、排気送風機の送風量は固定フードおよびスライドフードの下面側から吸気される全風量となり、換気効率の低下するのが防止できるという作用を有する。
【００２４】
また、請求項４記載の発明は、捕集促進部として、固定フードおよびスライドフードの内周部に開口率の大きいフィルターを設け、前記開口率の大きいフィルターの内側に開口率の小さいフィルターを設けたものであり、開口率の大きいフィルターでは通風が容易となり大量の空気が流れ、また、開口率の小さいフィルターを設けたところでは通風量が少なくなり、レンジから上昇する油煙のほとんどは、大量の空気が吸気される開口率の大きいフィルターを通り吸気されることとなり、固定フードおよびスライドフードの外方に流れようとする油煙の漏れるのが防止でき、効率よく油煙を捕集して排気することができるという作用を有する。
【００２５】
また、請求項５記載の発明は、固定フードとスライドフードの吸込側にフィルターを配設したものであり、レンジから上昇する油煙に含まれる油滴がフィルターに付着して油分を捕集することができるという作用を有する。
【００２６】
以下、本発明の実施の形態について図面を参照しながら説明する。
【００２７】
（実施の形態１）
図１〜図３に示すように、吸気口１と排気口２を有し、内部に排気送風機３を設けた排気ユニット４の吸気口１に連通する連通開口５を介して固定フード６を設け、固定フード６に連通し、固定フード６の前面よりスライド自在に設けられるスライドフード７を設け、スライドフード７を固定フード６内に収納時に、排気ユニット４の吸気口１が閉鎖されることなく常時換気可能に設け、また、油煙の捕集性能を向上させる捕集促進部として、固定フード６およびスライドフード７内周部に風速の速くなるスリット８が形成されるように、平板状の整流部９を設ける。
【００２８】
また、固定フード６の内側にスライドフード７が接触しないように隙間１０を形成し、隙間１０を通り空気が流通するのを遮断する形状の遮断凸部１１を、スライドフード７の後端部近傍に立設して構成する。
【００２９】
上記構成において、レンジ（図示せず）から上昇する油煙を排出するときには、レンジ上方に設置したレンジフードの固定フード６にスライド自在に設けたスライドフード７を前方に引き出した状態で排気ユニット４内に設けた排気送風機３を運転すると、レンジから上昇する油煙は、固定フードおよびスライド７の内周部に風速が早くなるように形成されたスリット８に整流部９により案内されて吸い込まれ、スライドフード７のスリット８より吸い込まれた油煙は連通している固定フード６内に送られ、固定フード６のスリット８より吸い込まれた油煙とともに、固定フード６の連通開口５より、吸気口１を介して排気ユニット４内に入り、排気送風機３により排気口２を介して屋外に排気されるレンジフードによる運転が行なわれる。
【００３０】
次に、スライドフード７を固定フード６内に収納したときには、スライドフード７により排気ユニット４に設けた吸気口１が閉鎖されないので、固定フード６の内周部に設けたスリット８より吸い込まれた空気のみが、連通開口５を介して吸気口１より排気ユニット４内に吸い込まれ、排気送風機３により排気口２を介して排気する排気運転が行なわれ、常時換気が可能となる。
【００３１】
このように、実施の形態１の発明によれば、吸気口１と排気口２を有し、内部に排気送風機３を設けた排気ユニット４と、排気ユニット４の吸気口１に連通し設けられる固定フード６と、固定フード６に連通し、固定フードの前面よりスライド自在に設けられるスライド７とを備え、スライド７を固定フード６内に収納時に、排気ユニット４の吸気口１が閉鎖されることなく、常時換気を可能としたので、レンジから上昇する油煙を排気するときには、固定フード６からスライドフード７を引き出し、レンジフードの下面の吸い込み範囲を大きくして油煙を効率良く捕集して排気できるとともに、スライドフード７を固定フード６内に収納したときにおいても、排気ユニット４の吸気口１は開口した状態であるので、排気ユニット４内の排気送風機３により常時換気を行なうことが可能となり、レンジフードとは別個に常時換気用の換気扇を設置する必要もなくなるものである。
【００３２】
また、固定フード６およびスライドフード７の内周部に風速の速くなるスリット８が形成されるように、スリット８の内側に整流部９を配設したので、固定フード６およびスライドフード７の内周部に形成されるスリット８の風速が速いことにより、上昇した油煙が整流部に衝突し、周囲に拡がるようになっても、油煙は風速の速いスリット８に捕集され、固定フード６およびスライドフード７外に漏れる油煙はなくなり、油煙の捕集効率が高められることとなる。
【００３３】
また、固定フード６の内面にスライドフード７が接触しないように隙間１０を形成し、隙間１０の空気の流通を遮断する形状の遮断凸部１１をスライドフード７の後端部近傍に立設したので、スライドフード７をスライドするときには、スライドフード７の後端部近傍に設けた遮断凸部１１が固定フード６の内面に接触しながらスライドすることとなるので、固定フード６に対しては線接触状態となり、スライドフード７全体が固定フード６内面に接触させながらスライドする面接触の状態に比較して、スライドを軽やかに行なうことができるとともに、遮断凸部１１により隙間１０を通り、固定フード６内に流入する空気が遮断され、排気送風機３の排気風量は固定フード６およびスライドフード７の下面側から吸気される全風量となり、排気効率が低下するのが防止できることとなる。
【００３４】
なお、実施の形態１では、レンジフードおよび常時換気の何れの運転時においても排気送風機３の回転速度が一定のものを用いて説明したが、常時換気時には、建築基準法で定められた換気量が満たされる範囲に迄、排気送風機３の回転速度をおそくしても良いことはいうまでもない。
【００３５】
（実施の形態２）
上記実施の形態１に対し、図４に示すように、捕集促進部として、固定フード６Ａおよびスライドフード７の内周部には開口率の大きいフィルター１２を設け、開口率の大きいフィルター１２の内側には開口率の小さいフィルター１３を設け構成する。
【００３６】
上記構成において、レンジ（図示せず）から上昇する油煙のほとんどは、開口率の大きいフィルター１２を通り吸い込まれ、１部の油煙は、開口率の小さいフィルター１３を通り吸気されて換気が行なわれる。
【００３７】
このように、実施の形態２の発明によれば、固定フード６Ａおよびスライドフード７Ａの内周部には開口率の大きいフィルター１２を設け、開口率の大きいフィルター１２の内側には開口率の小さいフィルター１３を設けたので、開口率の大きいフィルター１２では通風が容易となり大量の空気が流れることとなり実施の形態１で説明したスリットの役目を果たし、固定フード６Ａおよびスライドフード７Ａの内周部を通る風量が多くなり、レンジから上昇する油煙のほとんどは大量の空気が吸気される開口率の大きいフィルター１２を通り吸気されることとなり、固定フード６Ａおよびスライドフード７Ａの外方に流れようとする油煙が捕集され、油煙の漏れるのが防止でき、効率良く排気することができることとなる。
【００３８】
（実施の形態３）
図５に示すように、固定フード６Ｂとスライドフード７Ｂの吸込側にフィルター１４を配置して構成する。
【００３９】
上記構成において、レンジ（図示せず）から上昇する油煙は、固定フード６Ｂとスライドフード７Ｂの吸込側に設けたフィルター１４を通る間に油煙中に含まれる油滴がフィルター１４に付着して回収され、油滴が屋外に排出されることがなくなる。
【００４０】
このように実施の形態３の発明によれば、固定フード６Ｂとスライドフード７Ｂの吸込側にフィルター１４を配設したので、レンジから上昇する油煙は、固定フード６Ｂとスライドフード７Ｂの吸込側に設けたフィルター１４を通る間に油滴がフィルター１４に回収され、屋外には油滴を含まない空気を排気することができることとなる。
【産業上の利用可能性】
【００４１】
固定フードとスライドフードによる捕集構造を用い、広範囲から汚染空気を捕集して集塵する集塵装置の用途にも適用できる。
【図面の簡単な説明】
【００４２】
【図１】本発明の実施の形態１のレンジフードの断面図
【図２】同レンジフードの下面図
【図３】同レンジフードのスライドフードのスライド部分の構成を示す断面図
【図４】本発明の実施の形態２のレンジフードの下面図
【図５】本発明の実施の形態３のレンジフード下面図
【図６】従来のレンジフードの断面図
【符号の説明】
【００４３】
１      吸気口
２      排気口
３      排気送風機
４      排気ユニット
６      固定フード
６Ａ    固定フード
６Ｂ    固定フード
７      スライドフード
７Ａ    スライドフード
７Ｂ    スライドフード
８      スリット
９      整流部
１０    隙間
１１    遮断凸部
１２    開口率の大きいフィルター
１３    開口率の小さいフィルター
１４    フィルター
【図１】
2006317125.tif 000003
【図２】
2006317125.tif 000004
【図３】
2006317125.tif 000005
【図４】
2006317125.tif 000006
【図５】
2006317125.tif 000007
【図６】
2006317125.tif 000008